(57)【特許請求の範囲】
【請求項１】
月毎に分離したカード形式のカレンダー（３）を設け、複数月のカレンダー（３）を収めるケース（４）を設け、ケース（４）は額縁（１）の背面に位置するスタンド（２）と一体成型で構成し、ケース（４）にケース蓋（５）を設け、ケース（４）とケース蓋（５）を固定する蝶つがい（６）を設け、ケース蓋（５）上にカレンダー（３）を固定する様にし、蝶つがい（６）の動きに沿ってケース蓋（５）を持ち上げてカレンダー（３）として機能させる様にした額縁。
【発明の詳細な説明】
【０００１】
【発明の属する技術分野】
この発明はカレンダー機能を備えた額縁に関するものである。
【０００２】
【従来の技術】
額縁とカレンダーは独立した状況で配置されていた。又、額縁とカレンダーを一体化させた場合は占有が拡大してしまう懸念がある。
【０００３】
【発明が解決しようとする課題】
部屋の備品として額縁とカレンダーは不可欠なものであるが、両者をコンパクトに一体化できれば省スペースで済み、又、外観的にもスマートである。又、額縁に収められる写真等の内容とカレンダーを関連付けることで相乗効果を高めることも課題に加えることにする。
【０００４】
【課題を解決するための手段】
額縁１のスタンド２にカレンダー３を収めるためのケース４を設ける。
【０００５】
【発明の実施の形態】
額縁１を机等の床上に立てる場合はスタンド２が必要であるが、この既存のスタンド２にカレンダー３の設置場所を設けることができればコンパクトな一体化が図られることになる。勿論、額縁１内にカレンダー３が収まるために省スペースで済み、又、外観的にもスマートである。このカレンダー３は図１に示すケース４に収める様にする。つまり、スタンド２とケース４は一体成型で構成しても可能である。なお、スタンド２は額縁１の背面に位置するため、カレンダー３として機能させる場合は、額縁１を半回転させて使用することになる。このカレンダー３はケース４に収まる様な専用仕様となるが、月めくりの様な綴り形式よりも月毎に分離したカード形式の方が扱いは容易である。なお、図１におけるカレンダー３は○月、その他を斜線で表記している。つまり、○月に差し迫ったら前月分のカレンダー３を撤去することで○月のカレンダー３を露呈させれば良いことになる。
【０００６】
【実施例】
図１においては例えばカレンダー３としての使用頻度が多い場合は、常時カレンダー３が目に触れる様にスタンド２を正面に向けておくことになる。そのために額縁１は常に半回転された状況、つまり、裏返しの状況にあることになるが、写真を裏返す行為に抵抗を感じる者も想像できる。又、前述した様に半回転してカレンダー３を使用する手段よりも手軽に行えるものを勘案した場合、図２に示す構成のものが構築できる。
図２においてはケース４にケース蓋５を設け、ケース４とケース蓋５を固定する蝶つがい６を設けている。又、ケース蓋５に○月のカレンダー３を固定するための爪７を設けている。つまり、○月に差し迫ったら○月のカレンダー３を逆さまの状態でケース蓋５の爪７に固定し、カレンダー３として機能させる場合は、ケース蓋５に設けた腕８に指を当て、蝶つがい６の動きに沿ってケース蓋５を持ち上げれば良いことになる。なお、図２に示す状況の様にケース蓋５を起こした状態を維持できれば、常時カレンダー３として機能させることも可能であるため、この場合は蝶つがい６の動きを重くする等の手法で維持強化を図ることも有効である。なお、図１におけるケース４には○月と○月以降のカレンダー３が収まっているのに対し、図２におけるケース４には○月以降のカレンダー３が収まっていることになる。
又、額縁１とカレンダー３を一体化させることで、新たな付加価値を創出することが可能になる。つまり、カレンダー３を四季で区分けした、四季区分カレンダー３としてケース４に収め、又、額縁１には季節感のある写真を収める様にして、写真の内容とカレンダー３を関連付けることで相乗効果を高めるというものである。この場合の写真は風景の他、季節感の出た人物像や動植物等でも良く、又、写真の他に詩歌や俳句、絵等を収めても有効である。なお、四季区分カレンダー３は陽暦で一般的な、３月から５月を春、６月から８月を夏、９月から１１月を秋、１２月から２月を冬として区分している。この四季区分カレンダー３を設けた額縁１を図３に示している。図１や図２に示す様にスタンド２にケース４を設けても良いが、図３においては額縁１に沿ってケース４を設けている。これは図１や図２に示すものが写真の内容とカレンダー３には直接的な関連性のない、つまり、額縁１とカレンダー３の２つの機能を合体させた意味合いが強いために、本来の額縁１の外観を顕示することが理想であるためである。これに対して図３に示すものは額縁１に収める内容とカレンダー３には関連性があるために、額縁１に沿ってケース４を設けることで相乗効果を高めることが求められるためである。又、図３においてはスタンド３に厚みの出るケース４を設けることはないために、スタンド３を折り込み収納することで、額縁１を壁に掛けることが可能になる。つまり、本来のカレンダー３の外観を顕示できることにもなるために都合が良いことになる。なお、図３におけるカレンダー３は春に該当する３月、４月、５月の表記、その他を斜線で表記している。つまり、この状況においてはケース４に春、夏、秋、冬の４枚のカレンダー３が収まっていることになる。そのため、この場合では６月に差し迫ったら春に該当するカレンダー３を撤去することで夏に該当するカレンダー３を露呈させれば良いことになる。
但し、この４枚のカレンダー３の中で冬に該当するカレンダー３に関しては印刷状況が違ってくるが、それを示したものが図４である。なお、図４においては四季区分カレンダー３の送付システム図も兼ねているが、これに関しては後述することになる。図４に示す様に冬に該当するカレンダー３は１２月の１カ月分のみの掲載になっている。これはカレンダー３製作時においては翌々年の日取りまでは未定であるものと認識すべきものであるためである。そのため、図４に示す様なカレンダー３送付システムを設定することになる。つまり、カレンダー３製作時の翌年において次年度の日取りが決定した以降に、１月と２月も印刷した、冬に該当するカレンダー９を製作し、これをカレンダー３購入者に送付する様にしたものである。送付されたカレンダー９を受け取った購入者は以前のものと入れ換えることで、完全な冬のカレンダー９として機能させることが可能になる。なお、図４においては送付システムになっているが、カレンダー３を扱う店頭で対応する場合も同様なものであると捉えるべきである。なお、図４における４枚の四季区分カレンダー３及び、カレンダー９は月の表記意外は斜線で表記している。又、四季区分カレンダー３を販売する際にはカタログ１０を添付することは効果的である。つまり、購入者の手持ちの写真等を額縁１に収めて楽しむ他に、カタログ１０中の多くの作品から選択できることになり、オリジナルなカレンダー３として四季を堪能できることになる。
【０００７】
【発明の効果】
図１と図２の構成のものにより額縁１とカレンダー３を形状的に違和感のない状況で一体化できたことになる。又、図３の構成のものにより内容的に違和感のない状況で一体化できたことになる。なお、図２においてカレンダー３を爪７に固定する際は、ケース蓋５を起こした状態で行うことで正立セッティングが可能である。又、四季区分カレンダー３の効果として３事項を掲げる。
（イ）  四季区分カレンダー３であるために四季を意識しながら生活を営むことができる。
（ロ）  仕事等の予定を組む場合に好都合である。例えば、今は夏の半ばだから、秋の終わり頃までにはあの仕事を終えよう・・・等である。
（ハ）  カレンダー３やカレンダー９の送付システムは一見繁雑に思われるが、購入者管理が行えることで、企業と顧客とのネットワーク化により、購入者の継続利用が期待できることになる。つまり、四季区分カレンダー３を成立させるためにはカレンダー９の送付が必要であり、そのために購入者管理が円滑に行えるということになる。なお、カレンダー９はシールの様なものにし、１月と２月分を冬に該当するカレンダー３を台紙として貼る様にしても可能である。
【図面の簡単な説明】
【図１】背面から見た本発明の斜視図
【図２】構成を変更した、本発明の斜視図
【図３】構成を変更した、本発明の斜視図
【図４】四季区分カレンダー３送付のシステムを示した、模式図
【符号の説明】
１  は額縁          ２  はスタンド      ３  はカレンダー
４  はケース        ５  はケース蓋      ６  は蝶つがい
７  は爪            ８  は腕            ９  はカレンダー
１０  はカタログ
【図１】
0003867891.tif 000002
【図２】
0003867891.tif 000003
【図３】
0003867891.tif 000004
【図４】
0003867891.tif 000005